(57)【要約】【課題】効率を向上させ、従来の装置の製造における問題点を回避する光結合装置を提供し、さらに、このような光結合装置を備えたプローブ及び通信装置を提供する。【解決手段】光結合装置は、コーティング部材（１３）に設置されて第１光信号（２）を光ダクト（１２）に放出する発光手段（１）と、発光手段（１）から分離され第２光信号（５）を受信する受光手段（４）を備える。効率を向上させて製造工程を単純化するために、受光手段は前記コーティング部材を介して第２光信号を受信する。光プローブは前記光結合装置、光センサ（８）及び前記結合装置とセンサを結合させて第１光信号（２）をセンサに送信し、第２光信号を結合装置で受信する光ダクトを備える。通信装置は、光ダクト（２）により連結され、結合装置（１４Ａ、１４Ｂ）を備えた２つのステーション（２８、２９）を備える。【選択図】  図３
2004191908.tif 000002
【特許請求の範囲】
【請求項１】
コーティング部材（１３）の内部に設置され、第１光信号（２）を光ダクト（１０、１２）に送信する発光手段（１）と、前記発光手段（１）から分離され、第２光信号（５）を受信する受光手段（４）とを備えた光結合装置において、
前記受光手段（４）は前記発光手段（１）の前記コーティング部材（１３）を介して前記第２光信号（５）を受信するように設置されていることを特徴とする光結合装置。
【請求項２】
前記受光手段（４）、前記発光手段（１）及び前記光ダクトの入口（１７）がほぼ１列に整列されていることを特徴とする請求項１に記載の光結合装置。
【請求項３】
前記発光手段（１）及び前記受光手段（４）を交互に制御する制御手段（１５）を備えていることを特徴とする請求項１に記載の光結合装置。
【請求項４】
前記発光手段（１）は前記第２光信号（５）の波長を殆ど透過させ、前記受光手段（４）は前記コーティング部材（１３）及び前記発光手段（１）を介して前記第２光信号（５）を受信するように設置されていることを特徴とする請求項１に記載の光結合装置。
【請求項５】
前記コーティング部材（１３）と前記受光手段（４）との間に設置されて前記第２光信号（５）を前記受光手段（４）に向かうよう案内する光ガイド（２３、２４）を備えていることを特徴とする請求項１に記載の光結合装置。
【請求項６】
前記コーティング部材（１３）と前記受光手段（４）との間に設置されて前記第２光信号（５）を濾波する光フィルタ（２５、３２、３３）を備えたことを特徴とする請求項１に記載の光結合装置。
【請求項７】
前記発光手段（１）はプリント配線基板（１９）の第１面（１８）上に設置され、前記受光手段（４）は前記プリント配線基板の第２面（２２）上に設置され、前記プリント配線基板は前記発光手段と前記受光手段との間に開口（２０）を備えていることを特徴とする請求項１に記載の光結合装置。
【請求項８】
前記受光手段（４）は少なくとも１つの受光部を備え、前記発光手段（１）は２つの異なる波長を有する少なくとも２つの第１光信号（２Ａ、２Ｂ、２Ｃ）を送信するように逐次制御される少なくとも２つの発光部（１Ａ、１Ｂ、１Ｃ）を備えていることを特徴とする請求項１に記載の光結合装置。
【請求項９】
光結合装置、光センサ（８）、及び、前記結合装置と前記センサとを連結させて第１光信号（２）をセンサに送信し、前記結合装置に第２光信号（５）を送り返す光ダクト（１２）を備えた光プローブにおいて、
前記結合装置は前記センサ（８）に前記第１光信号（２）を送信し、前記センサ（８）から前記第２光信号（５）を受信する請求項１に記載の結合装置（１４）であって、前記光ダクト（１２）は前記センサ（８）と前記結合装置（１４）との間に設置された１つの光ファイバからなり、前記第１光信号（２）及び前記第２光信号（５）を案内することを特徴とする光プローブ。
【請求項１０】
前記センサ（８）は前記光ダクト（１２）から出力された前記第１光信号（２）により励起され、前記第２光信号（５）を前記光ダクト（１２）に送り返す光放出物質からなり、前記第２光信号（５）は前記第１光信号（２）により点灯された後に強度が減少され、前記第１光信号の波長と異なる波長を有することを特徴とする請求項９に記載の光プローブ。
【請求項１１】
前記センサ（８）は、前記センサ（８）の運動又は振動によって変調された第２光信号（５）を前記光ダクト（１２）に送り返すことを特徴とする請求項９に記載の光プローブ。
【請求項１２】
前記発光手段（１）は２つの異なる波長を有する少なくとも２つの前記第１光信号（２Ａ、２Ｂ、２Ｃ）を前記センサ（８）に逐次送って前記センサの色や色の変化を検出する少なくとも２つの発光部（１Ａ、１Ｂ、１Ｃ）を備え、前記センサは前記２つの第１光信号に応じて少なくとも２つの第２光信号（５）を送り返すことを特徴とする請求項９に記載の光プローブ。
【請求項１３】
光ダクト（１２）により結合され、前記光ダクトで循環する光信号（３０、３１）により情報又はデータを送受信するようになっている第１ステーション（２８）及び第２ステーション（２９）を備えた通信装置において、
前記第１ステーション（２８）及び前記第２ステーション（２９）は請求項１に記載の結合装置（１４、１４Ａ、１４Ｂ）を少なくとも１つ備え、前記第１ステーション（２８）の第１結合装置（１４Ａ）の発光手段により送信された第１光信号（２、３０）は前記第２ステーション（２９）の第２結合装置（１４Ｂ）の受光手段（４）により第２光信号（５）として受信され、第２ステーション（２９）の第２結合装置（１４Ｂ）の発光手段により送信された第１光信号（２、３１）は前記第１ステーション（２８）の第１結合装置（１４Ｂ）の受光手段（４）により第２光信号（５）として受信されることを特徴とする通信装置。
【請求項１４】
前記第１ステーション（２８）の第１結合装置（１４Ａ）は前記発光手段と前記受光手段との間に設置されて第２結合装置（１４Ｂ）の発光手段により送信された光信号（３１）を通過させ、前記第１結合装置（１４Ａ）の前記発光手段により送信された信号（３１）の波長と同じか、又は非常に近似した波長を有する光信号を減衰させる第１光フィルタ（３２）を備え、
前記第２ステーション（２９）の第２結合装置（１４Ｂ）は前記発光手段と前記受光手段との間に設置されて第１結合装置（１４Ａ）の発光手段により送信された光信号（３０）を通過させ、前記第２結合装置（１４Ｂ）の前記発光手段により送信された信号の波長と同じか、又は非常に近似した波長を有する光信号を減衰させる第２光フィルタ（３３）を備えたことを特徴とする請求項１３に記載の通信装置。
【請求項１５】
少なくとも１つの結合装置（１４Ａ、１４Ｂ）は、前記少なくとも１つの結合装置（１４Ａ、１４Ｂ）の発光手段により送信されるようになっている第１光信号を前記第１周波数帯域（ＦＢＥ１、ＦＢＥ２）で変調させる変調手段（３４、３６）、及び前記受光手段により受信され、第２周波数帯域（ＦＢＲ１、ＦＢＲ２）で変調させることのできる第２光信号を検出する検出手段（３５、３７）を備えたことを特徴とする請求項１３に記載の通信装置。
【発明の詳細な説明】
【０００１】
【発明の属する技術分野】
本発明は、コーティング部材の内部に設置され、光ダクトに第１光信号を送信する発光手段と、前記発光手段から分離されて第２光信号を受信する受光手段とを備えた光結合装置に関する。
【０００２】
また、本発明は光結合装置、光センサ、及び、結合装置とセンサを連結して第１光信号をセンサに送信し、第２光信号を結合装置に送り返す光ダクトを備えた光プローブに関する。
【０００３】
さらに、本発明は光ダクトにより結合され、前記光ダクトで循環する光信号によって情報又はデータを送受信するようになっている第１ステーション及び第２ステーションを備えた通信装置に関する。
【０００４】
【従来の技術】
特にプローブに用いられる従来の結合装置が図１に示されている。この結合装置は、第１光信号２を第１光ファイバ３に送信する発光手段１と、第２光信号５を第２光ファイバ６から受信する受光手段４とを備えている。２つの光ファイバは、例えば光信号に反応するセンサ８に向かう１つのダクト７と一緒に併合させることができる。
【０００５】
もう１つの従来の結合装置が図２に示されている。この結合装置は、第１光信号２を光分波器９に送信する発光手段１と、第２光信号５を光分波器９から受信する受光手段４とを備えている。光信号２及び５はセンサ８に向かう光ファイバや光ダクト１０によって伝えられる。一般的に、分波器９は、発光手段から出てくる第１光信号は通過させ、第２光信号は受光手段により反射されるようにする半反射ブレード１１を備える。このようにして、第１光信号は発光手段１によって送信され、ブレード１１の後方から前方に抜けて分波器９を通過し、ダクト１０を経由してセンサ８に進む。一方、第２光信号５はセンサ８によってダクト１０及び分波器９に送り返され、光信号５がブレード１１の前面によって受光手段４に反射される。
【０００６】
このような光結合装置を備えたプローブが特許文献１に開示されている。
【０００７】
従来の光結合装置では、光ファイバを結合させるか又は光分波器を使用することによって光信号経路を２重にする必要があるが、このような解決策が効果的に実行されるのはしばしば困難となる。また光信号送信チャネルの光伝送効率も非常に低い。
【０００８】
１つのハウジング内に発光手段と受光手段とを備えた電気−光コンポーネントが存在するものの、これらコンポーネントの動作波長はしばしばプローブでの使用やセンサとは互換性がない。発光手段及び受光手段の波長を選択することは既に結合されているコンポーネントでは不可能である。また、これらの特定なコンポーネントは、光ファイバの出口で特に光学ビームの分散により効率が低い。これらはまた光ファイバの正確な位置合わせを必要とし、時にはビームが電気−光コンポーネントに向かうようにする光学レンズの使用を必要とする。
【０００９】
【特許文献１】
欧州特許出願公開第ＥＰ０９４０６５５号明細書
【００１０】
【発明が解決しようとする課題】
本発明の目的は、光伝送効率を向上させ、従来の装置の製造における問題点を回避することを可能にする光結合装置を提供することにある。また、本発明はこのような光結合装置を備えたプローブ及び通信装置を提供することにある。
【００１１】
【課題を解決するための手段】
本発明に係る結合装置において、受光手段が発光手段の前記コーティング部材を介して第２光信号を受信するように設置される。
【００１２】
好ましい実施形態において、受光手段、発光手段及び前記光ダクトの入口がほぼ１列に整列される。
【００１３】
好ましくは、結合装置は発光手段と受光手段とを交互に制御する制御手段を備える。
【００１４】
有利には、発光手段は第２光信号の波長をほとんど透過させ、受光手段は前記コーティング部材と前記発光手段を介して第２光信号を受信するように設置される。
【００１５】
好ましくは、発光手段と受光手段は、前記発光手段及び前記受光手段の波長を透過する、同じ物質でコーティングされる。
【００１６】
好ましい実施形態において、結合装置は、コーティング部材と受光手段との間に設置され、第２光信号を受光手段に案内する光ガイドを備える。
【００１７】
有利には、光ガイドは発光手段のコーティング部材と同じ物質で作られる。
【００１８】
好ましい実施形態において、結合装置は、コーティング部材と受光手段との間に設置され、第２光信号を濾波する光フィルタを備える。
【００１９】
好ましくは、発光手段はプリント配線基板の第１面に設置され、受光手段は前記プリント配線基板の第２面に設置され、前記プリント配線基板は発光手段と受光手段との間に開口を備える。
【００２０】
好ましくは、発光手段と受光手段は第１光信号の周波数変調と、第２光信号の周波数変調により作動する。
【００２１】
好ましい実施形態において、結合装置は、受光手段と制御手段との間を連結して搬送信号から可変信号を抽出する電子濾波手段を備える。
【００２２】
有利には、受光手段は少なくとも１つの受光部を備え、発光手段は２つの異なる波長を有する少なくとも２つの第１光信号を送信するように逐次的に制御される少なくとも２つの発光部を備える。
【００２３】
例えば、少なくとも２つの異なる波長は色が検出されるようにすることができる。
【００２４】
光結合装置、光センサ、及び前記結合装置とセンサを結合させて第１光信号をセンサに送信し、第２光信号を結合装置に送り返す光ダクトを備えた本発明による光プローブにおいて、結合装置は第１光信号をセンサに送信し、第２光信号を前記センサから受信する、前記のように定義された結合装置である。
【００２５】
有利には、光ダクトはセンサと結合装置との間に設置され、第１光信号と第２光信号を案内する１つの光ファイバからなる。
【００２６】
好ましい実施形態において、センサは光ダクトから出力された第１光信号により励起される光放出物質からなり、第２光信号を前記光ダクトに送り返す。
【００２７】
例えば、センサは第１光信号により点灯した後に強度を減少させる第２光信号を光ダクトに送り返し、第２光信号は第１光信号の波長と異なる波長を有する。
【００２８】
有利には、センサは前記センサの運動や振動によって変調された第２光信号を光ダクトに送り返す。
【００２９】
好ましい実施形態において、発光手段は２つの異なる波長を有する少なくとも２つの第１光信号をセンサに逐次送信して前記センサの色や色の変化を検出する少なくとも２つの発光部を備え、前記センサは前記２つの第１光信号に応じて少なくとも２つの第２光信号を送り返す。
【００３０】
光ダクトにより結合され、前記光ダクトで循環する光信号により情報又はデータを送受信するようになっている第１ステーション及び第２ステーションを備えた本発明による通信装置において、第１ステーション及び第２ステーションは前記のような結合装置を少なくとも１つ備え、第１ステーションの第１結合装置の発光手段により送信された第１光信号は第２ステーションの第２結合装置の受光手段により第２光信号として受信され、第２ステーションの第２結合装置の発光手段により送信された第１光信号は第１ステーションの第１結合装置の受光手段により第２光信号として受信される。
【００３１】
好ましくは、第１ステーションの第１結合装置は、発光手段と受光手段との間に設置されて第２結合装置の発光手段により送信された光信号を通過させ、前記第１結合装置の発光手段により送信された信号の波長と同じか、又は非常に近似した波長を有する光信号を減衰させる第１光フィルタを備える。
【００３２】
好ましくは、第２ステーションの第２結合装置は、発光手段と受光手段との間に設置されて第１結合装置の発光手段により送信された光信号を通過させ、前記第２結合装置の発光手段により送信された信号の波長と同じか、又は非常に近似した波長を有する光信号を減衰させる第２光フィルタを備える。
【００３３】
有利には、少なくとも１つの結合装置は、前記少なくとも１つの結合装置の発光手段により送信されるようになっている第１光信号を第１周波数帯域で変調させる変調手段、及び受光手段によって受信され、第２周波数帯域で変調され得る第２光信号を検出する検出手段を備える。
【００３４】
有利には、光ダクトは第１結合装置と第２結合装置との間に連結された光ファイバである。
【００３５】
本発明の他の長所や特徴は、添付図面に示される本発明の特定の実施形態の記載からより一層明白になるが、本発明はこれらに限定されるものではない。
【００３６】
【発明の実施の形態】
図３に示す本発明の実施形態に係る光結合装置１４において、発光手段は第１波長を有する第１光信号２を光ダクト１２、例えば光ファイバに送信する発光部１を備える。光信号２は発光部１と光ファイバ１２とを効率の良い適正な位置に保持させることのできる発光部のコーティング部材１３を通過する。コーティング部材は好ましくは異なる色や波長の光信号を容易に通過させることのできる固形で半透明な広帯域物質である。受光手段は、第１光信号とは一般的に波長が異なる第２光信号５を前記コーティング部材１３を介して受信するように設置される受光部４を備える。光ファイバ１２から出てくるこのような第２光信号５は発光部のコーティング部材１３を通過して受光部４に到達する。例えば、発光部と受光部は光ファイバと良好に結合しているため、ほぼ１列に整列されるか、若干変位させられる。
【００３７】
この装置がプローブで用いられる場合、光信号２は、光信号２により励起された後に第２光信号５を送り返す、例えばセンサ８に送られる。光信号５は光ファイバを通して発光部のコーティング部材１３に送り返され、前記部材を通過し、良好な伝送効率を有する受光部４により検出される。この装置は光ファイバを２重にすることと半反射板の使用を避けることができる。
【００３８】
制御回路１５は発光部１及び受光部４に連結されて光信号の送信及び受信を制御する。好ましくは、発光部１は第１光信号２を送り、受光部４は交互に第２光信号５を受信する。
【００３９】
有利には、発光部は第２光信号の波長を適切に透過する要素から選択される。この場合、受光部はコーティング部材及び発光部１を介して光ファイバから出てくる第２光信号を受信するように設置される。光ファイバの入口と発光部との間に受光部を固定させることも可能である。受光部は第１光信号の波長を透過することができる。
【００４０】
図４において、発光部１は発光ダイオード１によって表示され、受光部４はホトダイオードによって表示される。これら２つの要素は同じコーティング部材１３でコーティングされて、光信号２及び５を送信及び受信することができる。
【００４１】
図５は本発明の実施形態に係る結合装置の実際の構成を示す。発光部は予め設定された波長で送信する発光ダイオード１６のような光信号送信要素である。発光ダイオード１６の発光部１はコーティング部材１３として作用する透明又は半透明のハウジングに収容される。ハウジングは光ファイバを発光部１に近接して整列された位置に保持させる孔１７を備える。発光ダイオード１６は孔１７に対向するダイオードの後面で開口２０を備えたプリント配線基板１９の第１面１８上に設置される。受光部は、光ファイバ及び発光ダイオード１６の良好な整列時にプリント配線基板１９の第２面２２に設置されたダイオード又はフォトトランジスタのような感光性要素２１である。
【００４２】
要素１６、２１は、好ましくは表面実装要素のようにプリント配線基板の表面上に装着及びはんだ付けされる。第２光信号５が要素１６と要素２１の間で空気中に分散されるのを防止するために、小さな光ガイド２３が２つの要素１６、２１の間に設置されている。光ファイバ１２から出てくる第２光信号５は、発光ダイオード１６のハウジングによって示される部材１３を通過し、光ガイド２３を通過し、受光部４を備えた要素２１に到達する。
【００４３】
図６において、受光部４を備えた要素２１は遠隔制御方式で設置される。光ガイド２４が要素１６の後面と要素２１との間に設置され、第２光信号を要素１６のコーティング部材１３から要素２１に案内する。好ましくは、光ガイド２３、２４はコーティング部材１３と同じ物質からなる。
【００４４】
図７において、光フィルタ２５がコーティング部材１３と受光部４を備えた要素２１との間に設置され、第２光信号５を通過させ、他の波長を有する光信号を停止させる。このようにして、センサ８から送り返される第２光信号が光ファイバ１２により案内され、コーティング部材１３を通過し、光フィルタ２５を通過して、要素２１の受光部４に到達する。即ち、第２光信号とは波長が異なる迷光線が停止されたり減衰されたりする。
【００４５】
図８は第１光信号２と第２光信号５のスペクトル曲線を示す。例えば、第１光信号２は色又は主波長Ｌ２と高振幅を有し、第２光信号５は色又は主波長Ｌ５と低振幅を有する。波長Ｌ２、Ｌ５は相違する。波長Ｌ２、Ｌ５は振幅又は周波数が変調された光信号２、５の中心又は主な周波数になり得る。例えば、発光手段は周波数の変調時に作動し、受光手段は周波数の復調時に作動することができる。変調及び復調はまた、中央集中式制御回路及び／又は関連電子回路で実行することができる。
【００４６】
図９は時間に対する第１光信号２及び第２光信号５の曲線を示す。例えば、第１光信号２について、上部は時刻ｔ１と時刻ｔ２との間で光の存在を示し、下部は時刻ｔ２と時刻ｔ３との間で光の不在を示すのこぎり歯の形を形成する長方形である。発光又は蛍光物質からなるセンサ８において、第２光信号５は第１光信号２の存在時に増加する強度を有し、光信号２が０又は非常に低い値に達した時、減少する強度を有する。センサが例えばルビー又はアレキサンドライトである温度センサにおいて、光信号５が減少する部分は温度値を示す。このようにして、制御手段は光信号２の送信によって時刻ｔ１と時刻ｔ２との間でセンサの励起を命令し、光信号５の受信及び捕捉及び／又は測定を行なって特に時刻ｔ２と時刻ｔ３との間での温度値を決定する。
【００４７】
図１０は光結合装置１４を備えた振動検出プローブを示す。また、センサ８は機械的な振動、特に音、超音波、圧力又は運動量を検出することが可能である。光結合装置は光信号２をセンサに送信し、検出された振動によって変調された第２光信号５を受光部４で受信する。センサは反射面を有する変形性膜の形態にもなり得る。受光部４と制御回路１５との間に連結された電子フィルタ２６は検出された振動を示す有効信号を通過させ、他の信号を減少させる。
【００４８】
図１１は特定の実施形態に係る結合装置を備えた色検出プローブを示す。色を検出するために、発光手段は２つの異なる波長を有する２つの第１光信号を送信する少なくとも２つの発光部を備える。発光部は好ましくは逐次制御される。図１１の概略構成図において、発光手段は３つの発光部１Ａ、１Ｂ、１Ｃを備え、３つの第１光信号２Ａ、２Ｂ、２Ｃをダクト又は光ファイバ１２にそれぞれ逐次送信する。一方、センサは前記センサから応答する第２光信号５又は検出された色を示す信号を逐次送り返す。センサは色が検出されたり決定されるべき対象にもなり得る。制御回路１５による光信号５の一連の情報の分析によって色が決定され得る。
【００４９】
３つの発光部は１つの電子要素、例えば、赤色、緑色、青色の集積発光ダイオードで合体され得る。また例えば白色を放射する１つの発光部を有することによって色を検出することも可能であり、異なる波長に敏感であるか、又はセンサの色を決定するためにそれぞれ異なるフィルタを備える３つの受光部を有することもできる。
【００５０】
図１２は光ダクト１２により結合されて前記光ダクトを流れる光信号３０、３１により情報又はデータを送信及び受信するようになっている第１ステーション２８及び第２ステーション２９を備えた通信装置２７を示す。第１ステーション２８及び第２ステーション２９は前述した実施形態で明示されたような少なくとも１つの結合装置を備えている。第１ステーション２８の第１結合装置１４Ａの発光手段１により送信された第１光信号３０は第２ステーション２９の結合装置１４Ｂの受光手段４により第２光信号５として受信される。第２ステーション２９の第２結合装置１４Ｂの発光手段により送信された第１光信号３１は第１ステーション２８の結合装置１４Ｂの受光手段４により第２光信号５として受信される。
【００５１】
効果的に通信するために、第１ステーション２８の第１結合装置１４Ａは発光手段１と受光手段４との間に設置されて第２結合装置１４Ｂの発光手段１により送信された光信号を通過させ、第１結合装置１４Ａの発光手段により送信された信号の波長と同じか、又は非常に近似した波長を有する光信号を減衰させる第１光フィルタ３２を備える。
【００５２】
同様に、第２ステーション２９の第２結合装置１４Ｂは発光手段１と受光手段４との間に設置されて第１結合装置１４Ａの発光手段により送信された光信号を通過させ、第２結合装置１４Ｂの発光手段により送信された信号の波長と同じか、又は非常に近似した波長を有する光信号を減衰させる第２光フィルタ３３を備える。
【００５３】
例えば、第１結合装置１４Ａの第１発光手段は緑色に発光する発光ダイオードになり得、第２結合装置１４Ｂの第１発光手段は赤色に発光する発光ダイオードになり得る。このようにして、第１光フィルタ３２は緑色光線を遮断し、赤色光線を通過させ、反対に第２光フィルタ３３は赤色光線を遮断し、緑色光線を通過させる。好ましくは、発光ダイオードは赤色又は緑色で放射するものであって、透明又は無色のプラスチックハウジングを備える。
【００５４】
図１３は光フィルタがなくても作動できる通信装置を示す。この場合、例えば結合装置１４Ａは、前記第１結合装置１４Ａの発光手段１により送信されるようになっている第１光信号３０を第１周波数帯域Ｆ１で変調させる変調回路３４、及び受光手段４により受信され、第２周波数帯域Ｆ２で変調され得る第２光信号を検出する検出手段３５を備える。第２結合装置１４Ｂは、第２結合装置１４Ｂの発光手段１により送信されるようになっている第２光信号３１を第２周波数帯域Ｆ２で変調させる変調回路３６、及び受光手段４により受信され、第１周波数帯域Ｆ１で変調され得る第１光信号３０を検出する検出手段３７を備える。
【００５５】
図１４（ａ）及び（ｂ）は、送信・受信及び検出手段と変調又は復調回路の作動周波数帯域を示す。図１４（ａ）において、第１結合装置１４Ａは周波数Ｆ１に同調される周波数帯域ＦＢＥで送信し、周波数Ｆ２に同調される周波数帯域ＦＢＲで受信する。図１４（ｂ）において、第２結合装置１４Ｂは周波数Ｆ２に同調される周波数帯域ＦＢＥで送信し、周波数Ｆ１に同調される周波数帯域ＦＢＲで受信する。有利には、受信時の周波数帯域は送信時の周波数帯域より幅が広い。周波数は両方向通信の場合、干渉しない程度に十分遠く離れている。
【００５６】
光ダクトは、好ましくは第１結合装置と第２結合装置の間に連結された光ファイバであるが、他のダクトやガイドを使用してもよい。
【００５７】
受光手段は、特にフォトダイオード、フォトトランジスタ又はフォトレジスタになり得る。発光及び受光手段は、例えば局部的に開放されたり透明なプラスチックや金属のハウジング内に収容することができる。発光手段のコーティング部材を形成する要素ハウジングは反射壁を備え、送信及び受信効率を向上させることができる。
【図面の簡単な説明】
【図１】従来の光結合装置の概略構成図。
【図２】従来のもう１つの光結合装置の概略構成を示す図。
【図３】本発明の実施形態に係る結合装置の概略構成図。
【図４】発光ダイオードとホトダイオードとを有する本発明の実施形態に係る結合装置の概略構成図。
【図５】プリント配線基板上に設けられた本発明の実施形態に係る結合装置の概略構成図。
【図６】光ガイドを有する本発明の実施形態に係る結合装置の概略構成図。
【図７】光ファイバを有する本発明の実施形態に係る結合装置の概略構成図。
【図８】光信号の異なる波長を示す図。
【図９】本発明による結合装置を備えたプローブにおける光信号の波長と振幅との関係を示した図。
【図１０】本発明の実施形態に係る結合装置を備えた振動検出プローブの概略構成図。
【図１１】本発明の実施形態に係る結合装置を備えた色検出プローブの概略構成図。
【図１２】本発明の実施形態に係る結合装置を備えた通信装置の概略構成図。
【図１３】本発明の実施形態に係る結合装置を備えた通信装置の概略構成図。
【図１４】本発明の実施形態に係る結合装置を備えた通信装置の光信号の時間と大きさを示した図。
【符号の説明】
１  発光部
２，３０  第１光信号
４  受光部
５，３１  第２光信号
８  センサ
１２  光ファイバ（光ダクト）
１３  コーティング部材
１４  光結合装置
１４Ａ  第１結合装置
１４Ｂ  第２結合装置
１５  制御回路
１６  発光ダイオード
１９  プリント配線基板
２０  開口
２１  感光性要素
２３，２４  光ガイド
２５  光フィルタ
２７  通信装置
２８  第１ステーション
２９  第２ステーション
３２  第１光フィルタ
３３  第２光フィルタ
３４，３５  変調回路
３５，３７  検出手段
【図１】
2004191908.tif 000003
【図２】
2004191908.tif 000004
【図３】
2004191908.tif 000005
【図４】
2004191908.tif 000006
【図５】
2004191908.tif 000007
【図６】
2004191908.tif 000008
【図７】
2004191908.tif 000009
【図８】
2004191908.tif 000010
【図９】
2004191908.tif 000011
【図１０】
2004191908.tif 000012
【図１１】
2004191908.tif 000013
【図１２】
2004191908.tif 000014
【図１３】
2004191908.tif 000015
【図１４】
2004191908.tif 000016